【事件の表示】
　特願２０１７−１８２７９号「炭酸ガスマイクロバブル発生器」拒絶査定不服審判事件〔平成２９年　５月１８日出願公開、特開２０１７−８０５２６号〕について、次のとおり審決する。
【結　論】
　本件審判の請求は、成り立たない。
【理　由】
第１　手続の経緯
　本願は、平成２６年２月１４日（以下「原出願日」という。）に出願された実願２０１４−７１５号に係る実用新案登録第３１９０３４７号（平成２６年４月９日登録）に基づいて、平成２９年２月３日に特許出願されたものであって、平成３０年１月４日付けで拒絶理由通知がされ、同年３月１日に意見書及び手続補正書が提出され、平成３０年３月１４日付けで最後の拒絶理由通知がされ、同年５月２８日に意見書及び手続補正書が提出され、同年８月２４日付けで同年５月２８日付けの手続補正が却下されるとともに拒絶査定（以下「原査定」という。）がされ、これに対し、同年１１月２８日に拒絶査定不服審判の請求がされると同時に手続補正書が提出されたものである。
第２　平成３０年１１月２８日にされた手続補正についての補正の却下の決定
［補正の却下の決定の結論］
　平成３０年１１月２８日にされた手続補正（以下「本件補正」という。）を却下する。
［理由］
１　補正の内容
（１）本件補正後の特許請求の範囲の記載
　本件補正により補正された特許請求の範囲の請求項１の記載は、次のとおりである（下線は、補正箇所を示す。）。
「【請求項１】
　湯水の送水経路に設けられ、炭酸ガスマイクロバブル混合水を吐出する炭酸ガスマイクロバブル発生器であって、
　シャワー機器とホースとの間に配設され、
　開閉機構を有し、炭酸入浴錠剤を収容するため
の錠
　前記開閉機構が、シャワー機器からなる固定基準体を基準として、３６０度以内の回動によって開閉可能な構成であり、
　少なくとも湯水の導入口側又は吐出口側のいずれか一方又は両方に、炭酸入浴錠剤に直接当たる水量を調整するための通水制限板が設けられた構成である炭酸ガスマイクロバブル発生器において、
　
前記錠剤収容部には、炭酸入浴錠剤を縦収容方向に固定するため、錠剤支持部が設けられ、
　
更に、前記錠
別途設け
、該ホルダを
　
収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であって
　
前記
共に、
　
湯水のカルキが除去された後、シャワー吐出されるまでの時間を得ることができるため、経皮毒を減少させる構成である、
ことを特徴とする炭酸ガスマイクロバブル発生器。」
（２）本件補正前の特許請求の範囲の記載
　本件補正前の、平成３０年３月１日にされた手続補正により補正された特許請求の範囲の請求項１〜２の記載は次のとおりである。
「【請求項１】
　湯水の送水経路に設けられ、炭酸ガスマイクロバブル混合水を吐出する炭酸ガスマイクロバブル発生器であって、
　シャワー機器とホースとの間に配設され、
　開閉機構を有し、炭酸入浴錠剤を収容するための炭酸入浴錠剤収容部が設けられた構成であり、
　前記開閉機構が、シャワー機器からなる固定基準体を基準として、３６０度以内の回動によって開閉可能な構成であり、
　少なくとも湯水の導入口側又は吐出口側のいずれか一方又は両方に、炭酸入浴錠剤に直接当たる水量を調整するための通水制限板が設けられた構成である炭酸ガスマイクロバブル発生器において、
　前記炭酸入浴剤収容部に収容可能なホルダを有し、該ホルダに複数の錠剤を収容して錠剤収容部に収容する構成であり、かつ
　炭酸入浴錠剤の厚みが、その直径よりも薄肉であって、
　炭酸入浴錠剤収容部への炭酸入浴錠剤の収容方向が、炭酸入浴錠剤の直径方向が炭酸ガスマイクロバブル発生器内の通水方向と同方向となる構成であって、吐出量を維持しつつ湯水と錠剤の接触水量のみを調整し、該錠剤の溶解速度を緩慢にさせ、該錠剤の溶解時間を延ばす構成であることを特徴とする炭酸ガスマイクロバブル発生器。
【請求項２】
　収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であることを特徴とする請求項１に記載の炭酸ガスマイクロバブル発生器。」
２　補正の適否
２−１　補正の目的の適否について
（１）本件補正は、本件補正前の請求項１の「炭酸入浴錠剤の厚みが、その直径よりも薄肉であって」という記載を削除する補正を含むものである。
（２）該補正で「炭酸入浴錠剤」についての該記載が削除されたために、本件補正後の請求項１に係る発明（以下「本願補正発明」という。）は、本件補正前の請求項１に係る発明に比べ、「炭酸入浴錠剤の厚みが、その直径よりも薄肉」でない場合すなわち該厚みが該直径と同じまたは該直径より厚い場合を含み得るようになった点で拡張されている。
　よって、該補正は、特許法第１７条の２第５項第２号の特許請求の範囲の減縮を目的とするものでない。また明らかに同第１号の請求項の削除、同第３号の誤記の訂正及び同第４号の明瞭でない記載の釈明を目的とするものでもない。
（３）したがって、本件補正は、特許法第１７条の２第５項に規定に違反するものでもあるから、同法第１５９条第１項で読み替えて準用する同法第５３条第１項の規定により却下されるべきものである。
２−２　新規事項の追加の有無について
　本件補正が同法第１７条の２第３項の規定に適合するかについて以下検討する。
（１）本件補正により追加された本願補正発明の「前記錠剤収容部には、炭酸入浴錠剤を縦収容方向に固定するため、錠剤支持部が設けられ」という構成（以下「構成Ｘ」という。）は、請求人が審判請求書で述べているように、願書に最初に添付した明細書（以下「当初明細書」といい、特許請求の範囲及び図面をあわせて「当初明細書等」という。）の段落【００６６】の「錠剤収容部１１には、炭酸入浴錠剤Ｔを縦収容方向に固定するため、錠剤支持部１２が設けられる。」という記載や図１〜３，６等に基づくものと理解される。
　また本件補正により変更された本願補正発明の「更に、前記錠剤収容部に収容可能なホルダを別途設け、該ホルダに複数の錠剤を収容し、該ホルダを錠剤収容部に収容する構成であり」という構成（以下「構成Ｙ」という。）は、請求人が審判請求書で述べているように、当初明細書の段落【００６５】の「尚また、２以上の炭酸入浴錠剤Ｔを収容可能な構成とする場合には、錠剤収容部１１に複数の錠剤Ｔを直接収容してもよいし、錠剤収容部１１に収容可能なホルダを別途設け、このホルダに複数の錠剤Ｔを収容し、ホルダを錠剤収容部１１に収容する構成としてもよい。」という記載に基づくものと理解される。
　しかしながら、本件補正により本願補正発明は、構成Ｘと構成Ｙを両立させるものとなり、「錠剤支持部」と「ホルダ」を別の構成として設けた場合を含むことになるが、当初明細書等をみても、そのような場合について記載も示唆もされておらず、技術常識を踏まえてみても当初明細書等から自明な事項とも認められないから、当初明細書等のすべての記載を総合することにより導かれる技術的事項との関係において新た技術的事項を導入しないものと認めることができない。
　よって、本件補正は当初明細書等に記載した事項の範囲内のものでない。
（２）以下補足する。
ア　構成Ｙについて、当初明細書等には上記の段落【００６５】の記載があるのみであり、該記載及びホルダーの字義が「支えるもの。挟むもの。」（広辞苑第六版）であることから、ホルダは、錠剤収容部１１に別途設けられるものであり、また複数の錠剤Ｔを収容して支えるもの又は挟んで収容するものであり、さらに収容部１１に収容されるものと理解される。
イ　一方、構成Ｘについて、当初明細書等に以下の記載がある。
「【請求項８】
　炭酸入浴錠剤収容部が、一対の壁状体又は棒状体からなる錠剤支持部を有する構成であることを特徴とする請求項１〜７のいずれかに記載の炭酸ガスマイクロバブル発生器。
【請求項９】
　湯水の導入口側及び吐出口側の両方に、通水制限板が設けられ、
　吐出口側に設けられた通水制限板に、通水方向に沿って相対向して形成された一対の壁状体からなる錠剤支持部が設けられ、この一対の壁状体内に炭酸入浴錠剤が配置される構成であり、
　導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする請求項３〜８のいずれかに記載の炭酸ガスマイクロバブル発生器。」
「【００１８】
８．炭酸入浴錠剤収容部が、一対の壁状体又は棒状体からなる錠剤支持部を有する構成であることを特徴とする１〜７のいずれかに記載の炭酸ガスマイクロバブル発生器。」
「【００３５】
　前記８に示す発明によれば、
炭酸入浴錠剤収容部が、一対の壁状体又は棒状体によって形成された錠剤支持部を備えることによって、炭酸入浴錠剤を所定の方向に確実に固定することができ、水流を乱すこともなく
【００３６】
　前記９に示す発明によれば、
炭酸ガスマイクロバブル発生器の導入口側及び吐出口側の両方に、通水制限板が設けられたことにより、この両通水制限板に炭酸入浴錠剤が挟まれて収容される態様となり、該錠剤を炭酸入浴錠剤収容部に止まらせることができる。
　また、
吐出口側に設けられた通水制限板に、通水方向に沿って相対向して形成された一対の壁状体からなる錠剤支持部が設けられたことにより、炭酸入浴錠剤を所定の方向に支持しつつ、吐出口側に流出することを防ぐこともできる。
「【００５６】
【図１】本発明に係る炭酸ガスマイクロバブル発生器の一実施例を示す分解斜視図
【図２】炭酸入浴錠剤収容部における錠剤支持部の第１構成例を示す概略構成図
【図３】炭酸入浴錠剤収容部における錠剤支持部の第２構成例を示す概略構成図
【図４】炭酸入浴錠剤収容部における錠剤支持部の第３構成例を示す概略構成図
【図５】実施例における導入口側通水制限板を示す概略平面図
【図６】実施例における吐出口側通水制限板及び錠剤支持部を示す概略平面図及び概略側面図
【図７】実施例における錠剤収容部と接続部との係合手段を説明する図」
「【００６６】
　
錠剤収容部１１には、炭酸入浴錠剤Ｔを縦収容方向に固定するため、錠剤支持部１２が設けられる。
【００６７】
　
錠剤支持部１２は、例えば、図２に示されるように、通水方向Ｗに沿って形成された一対の棒状体によって設けることができる。この一対の棒状体によって、炭酸入浴錠剤Ｔを挟持することで、炭酸入浴錠剤Ｔを縦収容方向に支持及び固定することができる。
【００６８】
　また、例えば、
図３に示されるように、通水方向Ｗに沿って形成された一対の壁状体によって設けることができる。
この一対の壁状体の間に、炭酸入浴錠剤Ｔを配置することで、炭酸入浴錠剤Ｔを縦収容方向に支持及び固定することができる。
【００６９】
　更にまた、
錠剤支持部１２は、例えば、図４に示されるように、後述する通水制限板１３の一部に、炭酸入浴錠剤の一部が嵌入される凹部１３Ｃを形成することで設けることもできる。この場合、通水制限板１３は炭酸入浴錠剤Ｔを挟む状態で導入口１７側及び吐出口１８側の両方に設けられ、両方の又は一方の通水制限板１３に設けられた凹部１３Ｃに炭酸入浴錠剤Ｔを嵌入させ、かつ通水制限板１３で炭酸入浴錠剤Ｔを挟持することで、炭酸入浴錠剤Ｔを縦収容方向に支持及び固定することができる。
【００７０】
　
通水制限板１３に設けられた凹部１３Ｃは、図２又は図３に示される棒状体又は壁状体と共に錠剤支持部１２を構成してもよいし、単独で錠剤支持部１２を構成してもよい。
「【００７３】
　
通水制限板１３は、炭酸入浴錠剤Ｔの移動を制限する役割も果たし、湯水の導入口１７側及び吐出口１８側の両方に通水制限板１３が設けられた構成によれば、これらの導入口側通水制限板１３Ａ及び吐出口側通水制限板１３Ｂに炭酸入浴錠剤Ｔが挟まれて収容される態様となり、該錠剤Ｔが水流によって流出することを防ぎ、炭酸入浴錠剤収容部１１に止まらせることができる。
【００７４】
　図１に示されるように、
通水制限板１３が、湯水の導入口１７側及び吐出口１８側の両側に設けられる場合には、炭酸入浴錠剤Ｔを囲い込む構成を採用することができる。また、前記したように、通水制限板１３に凹部１３Ｃを設けることで、炭酸入浴錠剤Ｔを縦収容方向に支持・固定することができる。
「【００７９】
　マイクロバブル発生器１、特に錠剤収容部１１を透明合成樹脂材等の透明性を有する材料で形成することにより、該錠剤支持部１１に収容される炭酸入浴錠剤Ｔが、マイクロバブル発生器１の外部から目視可能な構成とすることもできる。かかる構成によれば、マイクロバブル発生器１に収容された炭酸入浴錠剤Ｔの有無や溶解の程度を、外部から容易に把握することができる。」
「【０１０７】
　ここで、導入口側通水制限板１３Ａに設けられた通水孔１３Ｄ及び外側通水孔１３Ｅについての説明に戻る。
　通水孔１３Ｄは、前記した錠剤支持部１２を形成する一対の壁状体の内側を通過する湯水を通すための開孔である。詳述すれば、吐出口１８側から通水方向Ｗと平行する方向に向かって観察した場合において、通水孔１３Ｄは、錠剤支持部１２を形成する一対の壁状体の内側の位置に設けられる。」
また図１〜４，６には以下の図が示されている。
　当初明細書等の該記載及び図１〜４，６から、錠剤支持部１２は、錠剤収容部１１に別途設けられるものであり、また通水制限板１３とともに炭酸入浴錠剤Ｔを挟む態様で収容した上で支持及び固定するもの（図１〜３，６）又は通水制限板１３の構成の一部に凹部１３Ｃを形成することで設けられて炭酸入浴錠剤Ｔを狭持して収容した上で支持及び固定するもの（図４）であり、さらに「錠剤収容部１１」に収容されるものと理解される。
ウ　してみると、構成Ｙの「ホルダ」と構成Ｘの「錠剤支持部」とは、複数の錠剤を収容するものと特定されているか否かで異なるものの、錠剤収容部に別途設けられたものであり、また炭酸入浴錠剤を収容して支えるもの又は挟んで収容するものであり、さらに錠剤収容部に収容されるものである点で共通するものと理解される。
エ　しかしながら、そのように理解される錠剤支持部とホルダとを別の構成として設ける場合については、当初明細書等に記載も示唆もなく、技術的に両者がどのような関係で設けられるのかは特定し得ない。
オ　ここで、平成３０年５月２８日に提出された意見書には、ホルダを錠剤支持部１２とは別に設けた以下の参考図が示されている。しかしながら、この参考図におけるホルダは、１つの錠剤Ｔを収容するものであって、構成Ｙ（「更に、前記錠剤収容部に収容可能なホルダを別途設け、
該ホルダに複数の錠剤を収容し
このホルダに複数の錠剤Ｔを収容し
　「参考図」
カ　また、請求人は、審判請求書の「４−２」の項で、「本発明は、引用文献１には言及がない、複数の錠剤を収容する『ホルダ』という独自の発明特定事項を有し、この『ホルダ」による作用効果によって、『湯水吐出量維持と錠剤の接触水量との調整で、錠剤の溶解速度緩慢による錠剤溶解時間の延長に関する構成』を有し、更に、『湯水のカルキが除去された後、シャワー吐出されるまでの時間を得ることができるため、経皮毒を減少させる構成』をも有する構成なのです。」と述べている。しかしながら、ホルダが、「湯水吐出量維持と錠剤の接触水量との調整で、錠剤の溶解速度緩慢による錠剤溶解時間の延長」や「湯水のカルキが除去された後、シャワー吐出されるまでの時間を得ることができるため、経皮毒を減少させる」作用効果を有すること示すような記載や示唆は当初明細書等になく、技術常識を踏まえてみてもホルダにそのような作用効果があるとは認められない。
キ　以上のことから、構成Ｘの「錠剤支持部」と構成Ｙの「ホルダ」を別の構成として設けた場合は、当初明細書等から自明な事項とは認められない。
（３）請求人は、審判請求書において以下の主張をしている。
「４−１．補正の適法性について（補正却下の決定に対する不服申し立て）
　本願は、拒絶査定の際に補正却下の決定を受けておりますので、本審判請求と同時に行った補正について、改めて適法性を主張致します。
　平成３０年９月４日付け発送に係る補正却下の決定では、「錠剤収容部に収容可能な『ホルダ』」と、「炭酸入浴錠剤を縦収容方向に固定するため錠剤収容部に設けられた『錠剤支持部』」とが、同じ部材を指し示すものと認定され、『ホルダ』と『錠剤支持部』とが、『別途』設けられる構成は、新規事項追加であるとの認定がされています。
　しかし、この認定には承服できません。
　まず、『ホルダ』の構成について、本願の当初明細書段落［００６５］の第２段落には、「尚また、２以上の炭酸入浴錠剤Ｔを収容可能な構成とする場合には、錠剤収容部１１に複数の錠剤Ｔを直接収容してもよいし、錠剤収容部１１に収容可能なホルダを別途設け、このホルダに複数の錠剤Ｔを収容し、ホルダを錠剤収容部１１に収容する構成としてもよい。」と記載されています。この記載は、錠剤収容部１１に、複数の錠剤を収容する構成について説明されたものであり、「錠剤収容部１１に収容可能なホルダを別途設け」と明記されています。
　一方で、『錠剤支持部１２』の構成について、本願の当初明細書段落［００６６］〜［００７０］に記載され、例えば、「錠剤収容部１１には、炭酸入浴錠剤Ｔを縦収容方向に固定するため、錠剤支持部１２が設けられる。図２〜図４は、錠剤支持部１２の構成例を示す概略構成図であり、図中左列には側面から観察した場合における概略構成図を、右列には左図についての概略断面図をそれぞれ表す。（段落［００６６］）」と記載されています。これらの説明や、図２〜４をみても、収容される錠剤は１つであります。
　これらの記載の相違から、複数の錠剤Ｔを収容するために設けられる『ホルダ」と、１つの錠剤を収容することを前提とした『錠剤支持部１２』が、異なる部材を指し示すということが明白であります。仮に、複数の錠剤Ｔを収容する構成を、錠剤支持部１２の一部として説明するのであれば、錠剤支持部１２を説明した段落［００６６］〜［００７０］以降に記載するのが自然であり、錠剤支持部１２を説明する前に、『ホルダ』という異なる用語を用いて、錠剤支持部１２と同じ意で説明するのは、極めて不自然であります。
　また、御庁が規定する、特許請求の範囲の記載に関する「様式第２９の２（第２４条の４関係）」には、「９　用語は、その有する普通の意味で使用し、かつ、明細書及び特許請求の範囲全体を通じて統一して使用する。」旨が規定されています。
　当然ながら、本願も、この規定に基づいて記載されており、『ホルダ」と『錠剤支持部』という異なる用語を用いているのであれば、異なる部材を指し示すものと理解するのが自然でありますし、換言すれば、これらを同一の部材を指し示すものと判断するための根拠が見出せません。」
　しかしながら、当初明細書等に、構成Ｘと構成Ｙのそれぞれについての記載はあるものの、構成Ｘの「錠剤支持部」と構成Ｙの「ホルダ」を別の構成として設けた場合についての記載や構成Ｘの「錠剤支持部」と構成Ｙの「ホルダ」の関係について示す記載はない。
　また当初明細書において「錠剤支持部」と「ホルダ」が異なる表記であることのみをもって直ちに必ず両者が別物であるとみなすことはできない。これは、当初明細書の「【００６９】　更にまた、錠剤支持部１２は、例えば、図４に示されるように、後述する通水制限板１３の一部に、炭酸入浴錠剤の一部が嵌入される凹部１３Ｃを形成することで設けることもできる。」という記載や図４には、通水制限板１３の一部の凹部１３Ｃによって錠剤支持部を構成する態様が示されていること、すなわち「通水制限板」で「錠剤支持部」を兼ねる態様が示されていることからも明らかである。
　そして、上記「（１）ウ」で述べたように構成Ｙの「ホルダ」と構成Ｘの「錠剤支持部」とは、錠剤収容部に別途設けられたものであり、また炭酸入浴錠剤を収容して支えるもの又は挟んで収容するものであり、さらに錠剤収容部に収容されるものである点で共通することをも踏まえると、両者が別の構成であるのか否か、さらに別の構成である場合にどのように両立し得るのかが当初明細書等から明らかでない。
　よって、請求人の主張には理由がない。
（４）以上より、本件補正は特許法第１７条の２第３項の規定に違反するものであるから、同法第１５９条第１項で読み替えて準用する同法第５３条第１項の規定により却下されるべきものである。
２−３　独立特許要件
　本件補正は、補正前の請求項１に「前記錠剤収容部には、炭酸入浴錠剤を縦収容方向に固定するため、錠剤支持部が設けられ」という記載を追加して「錠剤収容部」の構成を限定する補正、及び「収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であって」という記載を追加して「炭酸入浴錠剤」を限定する補正を含むものであるので、仮に、本件補正が、上記「２−１」について特許法第１７条の２第５項の規定に適合し、さらに上記「２−２」について同法第１７条の２第３項の規定に適合するとして、本件補正が特許法第１７条の２第６項において準用する同法第１２６条第７項の規定（独立特許要件）に適合するか否かについて検討する。
（１）本願補正発明
　本願補正発明は、上記「１（１）」に記載したとおりのものである。
（２）特許法第３６条第６項第１号について
　本願補正発明は、「少なくとも湯水の導入口側又は吐出口側のいずれか一方又は両方に、炭酸入浴錠剤に直接当たる水量を調整するための通水制限板が設けられた構成である炭酸ガスマイクロバブル発生器において、前記錠剤収容部には、炭酸入浴錠剤を縦収容方向に固定するため、錠剤支持部が設けられ、更に、前記錠剤収容部に収容可能なホルダを別途設け、該ホルダに複数の錠剤を収容し、該ホルダを錠剤収容部に収容する構成であり」という構成を有するので、「錠剤支持部」と「ホルダ」を別の構成として設けた場合を含むことになる。しかしながら、上記「２−２」で述べたことから明らかなように、そのような場合について発明の詳細な説明に記載したものと認められない。
　よって、本願補正発明の特許請求の範囲の記載は、特許法第３６条第６項第１号の規定に適合するものでないから、本願補正発明は、同法第３６条第６項の規定により、特許出願の際独立して特許を受けることができないものである。
（３）特許法第３６条第６項第２号について
　上記「２−２（２）ウ」で述べたように、本願補正発明の「ホルダ」と「錠剤支持部」は、錠剤収容部に別途設けられたものであり、また炭酸入浴錠剤を収容して支えるもの又は挟んで収容するものであり、さらに錠剤収容部に収容されるものである点で共通することをも踏まえると、本願補正発明の「ホルダ」が、「錠剤支持部」や「錠剤支持部」とともに錠剤を収容する「通水制限板」によって構成されるものを含むのか、「錠剤支持部」や「通水制限板」とは別物であるのか不明確である。
　よって、本願補正発明の特許請求の範囲の記載は、特許法第３６条第６項第２号の規定に適合するものでないから、本願補正発明は、同法第３６条第６項の規定により、特許出願の際独立して特許を受けることができないものである。
（４）特許法第２９条第２項について
（４−１）引用文献１の記載事項等
ア　引用文献１の記載事項
　原査定の拒絶の理由で引用文献１として示された、本願の原出願日前に頒布された登録実用新案第３１８７３６８号公報（以下「引用文献１」という。）には、次の事項が記載されている。
（１ａ）「【００１２】
　以上のことから、本考案の課題は、炭酸入浴錠剤を収容したマイクロバブル混合水を製造するためのシャワー機器を使用して、炭酸ガスマイクロバブル混合水をシャワー吐出する場合において、血行促進等の健康増進効果を高め、適度な濃度の重炭酸シャワーを長時間享受できる効果を維持しつつ、炭酸入浴錠剤の溶解速度を最適化し、該錠剤を長持ちさせ、該錠剤の交換頻度を減少させることで、ランニングコストも抑えることができると共に、該錠剤を簡単かつ容易に短時間で交換・装填することができる構成の炭酸ガスマイクロバブル混合水を吐出するシャワー機器を提供することにある。
【課題を解決するための手段】
【００１３】
　上記課題を解決する本考案は、下記構成を有する。
【００１４】
１．シャワー胴部、シャワーヘッド部又は両者の間の少なくとも１個所に、炭酸ガスマイクロバブル発生部が設けられている
炭酸ガスマイクロバブル混合水
　前記炭酸ガスマイクロバブル発生部は、開閉機構を有し、炭酸入浴錠剤を収容するための炭酸入浴錠剤収容部が設けられ、
　前記炭酸ガスマイクロバブル発生部には、少なくとも湯水の導入口側又は吐出口側のいずれか一方又は両方に、前記炭酸入浴錠剤に直接当たる水量を調整するための通水制限板が設けられた構成であることを特徴とする炭酸ガスマイクロバブル混合水を吐出するシャワー機器。
【００１５】
２．炭酸マイクロバブル発生部の開閉機構が、シャワー胴部又はシャワーヘッド部からなる固定基準体を基準として３６０度以内の回動によって開閉可能な構成であり、これにより、炭酸入浴錠剤の交換が可能な構成であることを特徴とする前記１に記載のシャワー機器。
【００１６】
３．炭酸マイクロバブル発生部を構成する炭酸入浴錠剤収容部の少なくとも一部が、透明性を有する材料で形成され、収容された炭酸入浴錠剤を外部から目視可能な構成であることを特徴とする前記１又は２に記載のシャワー機器。
【００１７】
４．通水制限板の少なくとも一部が、炭酸ガスマイクロバブル発生部から取り外し可能な構成であることを特徴とする前記１〜３のいずれかに記載のシャワー機器。
【００１８】
５．炭酸入浴錠剤の厚みが、その直径よりも薄肉であって、
　炭酸入浴錠剤収容部への炭酸入浴錠剤の収容方向が、炭酸入浴錠剤の直径方向が炭酸ガスマイクロバブル発生部内の通水方向と同方向となる構成であることを特徴とする前記１〜４のいずれかに記載のシャワー機器。
【００１９】
６．通水制限板が、開孔板又は網状体によって形成された構成であることを特徴とする前記１〜５のいずれかに記載のシャワー機器。
【００２０】
７．炭酸入浴錠剤収容部が、一対の壁状体又は棒状体からなる錠剤支持部を有する構成であることを特徴とする前記１〜６のいずれかに記載のシャワー機器。
【００２１】
８．炭酸入浴錠剤収容部が、通水制限板の一部に設けられ炭酸入浴錠剤の一部が嵌入される凹部からなる錠剤支持部を有する構成であることを特徴とする前記１〜６のいずれかに記載のシャワー機器。
・・・
【００２４】
１１．炭酸ガスマイクロバブル発生部には、湯水の導入口側及び吐出口側の両方に、通水制限板が設けられ、
　吐出口側に設けられた通水制限板に、通水方向に沿って相対向して形成された一対の壁状体からなる錠剤支持部が設けられ、この一対の壁状体内に炭酸入浴錠剤が配置される構成であり、
　導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする前記１〜９のいずれかに記載のシャワー機器。
【００２５】
１２．
炭酸入浴錠剤が、重炭酸塩、有機酸及びポリエチレングリコールの存在下で圧縮成形されて得られ、錠剤を湯水に溶かした直後のＰＨが５．５から８．５の範囲となり、錠剤の直径が２０ｍｍ以上である
・・・
【考案の効果】
【００３０】
　前記１に示す考案によれば、
炭酸ガスマイクロバブル発生部の導入口側
吐出口側
両方に、通水制限板が設けられたことで、炭酸入浴錠剤に直接当たる水量を調整することができるため、最適な錠剤濃度の混合水をシャワー吐出することができる。これにより
シャワー吐出量を維持しつつ、湯水と錠剤の接触水量のみを調整し、該錠剤の溶解速度を緩慢にさせることで、該錠剤の溶解時間を延ばし
【００３１】
　また、
炭酸ガスマイクロバブル発生部に開閉機構を備える
【００３２】
　前記２に示す考案によれば、炭酸入浴錠剤収容部への錠剤の交換について、
炭酸マイクロバブル発生部の開閉機構の開閉操作が、シャワー胴部又はシャワーヘッド部からなる固定基準体を基準として３６０度以内の回転というワンタッチ操作で可能であり
【００３３】
　前記３に示す考案によれば、炭酸入浴錠剤収容部が、透明性を有する材料で形成されることにより、収容された炭酸入浴錠剤を外部から目視することが可能であるため、該錠剤の溶解状況や、該収容部を通過する水量を視認することができる。
【００３４】
　前記４に示す考案によれば、錠剤の溶解を制限していた通水制限板を取り外して使用することができ、短時間で錠剤が溶解し終えるように使用することもできる。
　このように使用することで、炭酸濃度を十分に高め、高濃度のシャワーを浴びることができ、炭酸による肌のツルツル、スベスベ感を十分に味わうことができる。錠剤は短時間で溶解してしまうが、新たな錠剤を装填することで長時間のシャワー使用が可能であり、贅沢な使用が可能となる。
・・・
【００３６】
　前記５に示す考案によれば、
厚みが直径より薄肉の炭酸入浴錠剤が、炭酸入浴錠剤の直径方向が通水方向と同方向に、該錠剤が炭酸入浴錠剤収容部に収容されることで、湯水が該錠剤に当たる面積を減少し、シャワー吐出される水量を減少させずに該錠剤の溶解時間を緩慢にさせることができる。
【００３７】
　尚、炭酸ガスマイクロバブル混合水のシャワーによる健康効果を得るために必要な時間は、６分から８分であり、平均的なシャワー時間もこの時間内である。１回の錠剤装填で５分から８分の範囲で錠剤が溶解するように設計しても、心地よい水量を得るためには、錠剤の周面に水流が当たり、接触面積を小さく止めることができる本考案を使用したシャワー機器が好ましいことがわかる。
　この場合、炭酸マイクロバブル混合水をシャワー吐出した場合であっても、血行促進等の健康増進効果を得ることができ、該錠剤を長持ちさせ、該錠剤の交換頻度を減少させることで、健康効果を高めながらランニングコストを抑えることもできる。
【００３８】
　前記６に示す考案によれば、通水制限板を開孔板又は網状体によって形成することで、錠剤に直接当たる水量を簡単な構造で制限し、最適な溶解時間を調整することができる。また、必要に応じて、通過可能な水量が異なる通水制限板に変更すれば、錠剤の溶解速度を調整することができる。開孔板又は網状体は、簡単な構造であるため、通過可能な水量の調整が容易にできる他、メンテナンス性がよく、製造コストを抑えることもできる。
【００３９】
　前記７に示す考案によれば、炭酸入浴錠剤収容部が、一対の壁状体又は棒状体によって形成された錠剤支持部を備えることによって、炭酸入浴錠剤を所定の方向に確実に固定することができ、水流を乱すこともなく、簡単な構造で前記５における効果を確実に得ることができる。
【００４０】
　前記８に示す考案によれば、通水制限板の一部に形成された凹部に、炭酸入浴錠剤を嵌入させることで、該錠剤を所定の方向に確実に固定することができ、簡単な構造で前記５における効果を確実に得ることができる。
・・・
【００４５】
　前記１１に示す考案によれば、炭酸ガスマイクロバブル発生部の導入口側及び吐出口側の両方に、通水制限板が設けられたことにより、この両通水制限板に炭酸入浴錠剤が挟まれて収容される態様となり、該錠剤を炭酸入浴錠剤収容部に止まらせることができる。
　また、吐出口側に設けられた通水制限板に、通水方向に沿って相対向して形成された一対の壁状体からなる錠剤支持部が設けられたことにより、炭酸入浴錠剤を所定の方向に支持しつつ、吐出口側に流出することを防ぐこともできる。更に、炭酸入浴錠剤が、この一対の壁状体に挟持される構成により、該錠剤の側面が壁状体に接することで湯水による水流に曝されず、該錠剤の湯水との接触面積を狭くすることができ、錠剤の溶解をより緩慢にすることができる。
【００４６】
　また、導入口側に設けられた通水制限板に、一対の壁状体の内側を通過する湯水を通す通水孔が設けられ、前記一対の壁状体の外側を通過する湯水を通す外側通水孔（開孔が大きいか又は多数個の通水孔が好ましい。）が設けられたことにより、前記通水孔を通過した湯水が、一対の壁状体の内側に収容される錠剤に接し、他方、前記外側通水孔を通過した湯水は、一対の壁状体の外側を通過して錠剤には触れないので、錠剤に接する水量を制限しつつ、シャワー機器全体を通過可能な水量を維持することができる。
【００４７】
　前記１２に示す考案によれば、炭酸ガスマイクロバブル混合水をシャワー吐出した場合も、持続時間を長くでき、効率よく炭酸成分を経皮させ、血行促進等の健康増進効果を期待することができるという効果を発揮する。
【００４８】
　特に、従来知られている炭酸水素ナトリウムと有機酸からなる入浴剤であっても、本考案の如く、直径が２０ｍｍ以上で、湯水に溶解した場合のＰＨが５．５から８．５である炭酸入浴錠剤とし、これを用いたことにより、炭酸ガスマイクロバブル混合水と身体との接触によって、重炭酸イオンが効率よく血管に吸収され、血行促進等の健康増進効果の向上を手軽に図ることができる。
　なお、本考案の炭酸入浴錠剤を用いた場合の
炭酸ガスマイクロバブル混合水によれば、水道水のカルキ臭を著しく抑制乃至は消滅させることが可能である。
・・・
【００５８】
　本考案の好ましい実施態様によれば、一定硬度以上の錠剤中で反応させ、十分細かいミクロサイズの炭酸ガスの発泡を得て、再び溶解後のＰＨが中性の錠剤外の液の体液と同じ中性の状態で重炭酸イオンに戻されることで、この炭酸ガスを経由した重炭酸イオンのみがごく短いシャワーという皮膚接触時間に経皮吸収される。即ち、一定サイズで一定値以上の高硬度の錠剤の内部での発泡反応がマイクロバブルの炭酸ガスを発生させる意味で重要であり、溶解後のシャワー水のＰＨが発生した炭酸ガスを重炭酸イオンに変え、容易に経皮吸収によって血管中に溶解し、血行を高め、体を温めるなどの自然炭酸泉に近い効果を発揮するものと推定している。
【００５９】
　ＰＨの規定は、錠剤の溶解が０．０５％から０．５％程度の濃度でのＰＨとして測定するのがシャワー水の実態に合わせ妥当である。
　このＰＨ測定は溶解直後のＰＨであることが好ましく、ＰＨが中性であっても湯水中の重炭酸イオンは炭酸ガスを揮散させ、徐々に上昇し、たとえば溶解直後の水のＰＨが７．０であっても２４時間後には７．５程度となり、エアを入れて発泡させれば、炭酸ガスが揮発し、ＰＨは８．５を超えてしまうこともある。それゆえに本考案における
ＰＨの規定は、炭酸入浴錠剤の湯水中への溶解直後とする。
【００６０】
　本考案の好ましい実施態様の効果について、更に詳述する。
　前記（１）及び（２）に示す好ましい本考案によれば、効率よく長時間一定径以下のミクロサイズの炭酸ガス泡をゆっくり発生させ続けられるようになり、湯水に溶解する炭酸ガスを重炭酸イオンとして高濃度に溶解させることができる。
【００６１】
　特に、従来から知られている炭酸水素ナトリウムと有機酸からなる市販の炭酸入浴錠剤であっても、本考案の如く、直径が２０ｍｍ以上で、湯水に溶解した場合のＰＨが５．５から８．５とすれば、
炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し、ＰＨが７．４５である中性の血管にそのまま効率よく吸収され、血行促進等の健康増進効果を手軽に得ることができる。
【００６２】
　尚、より好ましいマイクロサイズの炭酸ガスを発生されるためには、錠剤の硬度を１５ｋｇｆ以上とすることが好ましく、これにより、血行促進効果がより高まり、体温上昇効果も得られることがわかった。尚また、本考案により得られた
炭酸ガスマイクロバブル混合水によれば、水道水のカルキ臭を著しく抑制乃至は消滅させることが可能である。
・・・
【図面の簡単な説明】
【００６５】
【図１】本考案に係るシャワー機器の一実施例を示す分解斜視図
【図２】本考案に係るシャワー機器の一実施例を示す概略構成図
【図３】炭酸入浴錠剤収容部における錠剤支持部の第１構成例を示す概略構成図
【図４】炭酸入浴錠剤収容部における錠剤支持部の第２構成例を示す概略構成図
【図５】炭酸入浴錠剤収容部における錠剤支持部の第３構成例を示す概略構成図
【図６】本考案に係るシャワー機器の他の実施例を示す概略構成図
【図７】炭酸ガスマイクロバブル発生部の配設位置（１）を例示する概略構成図
【図８】炭酸ガスマイクロバブル発生部の配設位置（２）を例示する概略構成図
【図９】炭酸ガスマイクロバブル発生部の配設位置（３）を例示する概略構成図
【図１０】実施例１に係るシャワー機器を示す分解斜視図
【図１１】実施例１における導入口側通水制限板を示す概略平面図
【図１２】実施例１における吐出口側通水制限板及び錠剤支持部を示す概略平面図及び概略側面図
【図１３】実施例１における錠剤収容部と接続部との係合手段を説明する図
【図１４】実施例２に係るシャワー機器を示す分解斜視図
【図１５】実施例２における導入口側通水制限板及び錠剤支持部を示す概略平面図及び概略側面図
【図１６】実施例３に係るシャワー機器を示す概略構成図
【考案を実施するための形態】
【００６６】
　以下、本考案に係るシャワー機器について、図面に基づき説明する。
【００６７】
　本考案は、炭酸泉入浴効果とマイクロバブル効果を併せ持つ炭酸ガスマイクロバブル混合水を簡易に得られるシャワー機器についての技術であり、炭酸ガス成分とマイクロバブルとを混合した湯水をシャワー吐出させることによって、洗浄効果と血行促進等の健康増進効果をも期待できる技術である。
【００６８】
　本考案において、「湯水」とは、いわゆる水、若しくは加温乃至は加熱してある湯又はこの両者の混合物をいう。また、「マイクロバブル」とは、いわゆる微細気泡と称されるものをいう。なお、本考案において、「量」は特に断りのない限り「質量」を表し、「％」は特に断りのない限り「質量％」を表し、「部」は特に断りのない限り「質量部」を表す。
【００６９】
　本考案に係るシャワー機器１の一実施例を示す分解斜視図を、図１に示す。また、本考案に係るシャワー機器１の一実施例を示す概略構成図を、図２に示す。
　シャワー機器１は、湯水の吐出口１３を有するシャワーヘッド部１１と、使用時に持ち手の柄となり湯水の導入口１４を有するシャワー胴部１２と、を有する構成であり、これに、炭酸入浴錠剤Ｔを収容する炭酸ガスマイクロバブル発生部２が設けられた構成である。シャワー機器１への湯水の供給は、シャワー胴部１２に接続されるホース３による。
【００７０】
　尚、図１において、シャワーヘッド部１１とシャワー胴部１２とは、一体的に形成された一体型構成であってもよいし、別体で形成されたものを一体となるように接続或いは結合したものでもよいし、シャワーヘッド部１１がシャワー胴部１２に対して向きや角度を変えられるように直接又は間接的に接続されたものであってもよい。
　また、シャワー機器１は、シャワー胴部１２を有さない構成であってもよく、かかる構成は後述する実施例３において説明する。
【００７１】
　炭酸ガスマイクロバブル発生部（以下、単に「マイクロバブル発生部」ともいう。）２は、シャワー胴部１２に設けられ、このシャワー胴部１２の湯水の導入口１４からシャワーヘッド部１１に及ぶ通水路、即ち、湯水の送水経路に設けられる。これにより、該通水路内を通る湯水によって、マイクロバブル発生部２に収容される炭酸入浴錠剤Ｔを溶解し、この溶解によって発生した炭酸ガスが、湯水中においてマイクロバブル（微細気泡）となって、該湯水と混合して炭酸ガスマイクロバブル混合水となる。
【００７２】
　マイクロバブル発生部２に収容される炭酸入浴錠剤Ｔは、直径２０ｍｍ以上であって、厚みが直径より薄肉の錠剤であることが好ましい。この炭酸入浴錠剤Ｔについては、後に詳述する。
【００７３】
　次に、マイクロバブル発生部２への炭酸入浴錠剤Ｔの収容構成について説明する。
　マイクロバブル発生部２には、炭酸入浴錠剤収容部（以下、単に「錠剤収容部」ともいう。）２１が設けられる。この錠剤収容部２１には、炭酸入浴錠剤Ｔが収容され、炭酸入浴錠剤Ｔの直径方向が、通水方向Ｗと同方向ないし略平行になるように収容される。この炭酸入浴錠剤Ｔが収容される方向を、「縦収容方向」という。前述のとおり、炭酸入浴錠剤Ｔは厚みが直径より薄肉の形状であることが好ましく、この炭酸入浴錠剤Ｔが、前記縦収容方向に収容されることで、強い水流に直接曝される表面積を小さく止めることができ、これにより溶解速度が減じられる。このように、溶解速度が減じられ最適化されることによって、炭酸入浴錠剤Ｔは長時間に亘ってマイクロバブルの発生を継続する。
【００７４】
　なお、
錠剤収容部２１は、
１つの炭酸入浴錠剤Ｔを収容する構成であるが、２以上の炭酸入浴錠剤Ｔを収容可能な構成を採用してもよい。この場合、２以上の炭酸入浴錠剤Ｔは、直列に収容されてもよいし、並列に収容されてもよい。
【００７５】
　
錠剤収容部２１には、炭酸入浴錠剤Ｔを縦収容方向に固定するため、錠剤支持部２２が設けられる。
【００７６】
　錠剤支持部２２は、例えば、図３に示されるように、通水方向Ｗに沿って形成された一対の棒状体によって設けることができる。この一対の棒状体によって、炭酸入浴錠剤Ｔを挟持することで、炭酸入浴錠剤Ｔを縦収容方向に支持及び固定することができる。
【００７７】
　また、例えば、図４に示されるように、通水方向Ｗに沿って形成された一対の壁状体によって設けることができる。同じく、
この一対の壁状体の間に、炭酸入浴錠剤Ｔを配置することで、炭酸入浴錠剤Ｔを縦収容方向に支持及び固定することができる。
【００７８】
　更にまた、錠剤支持部２２は、例えば、図５に示されるように、後述する通水制限板２３の一部に、炭酸入浴錠剤の一部が嵌入される凹部２３Ｃを形成することで設けることもできる。この場合、通水制限板２３は炭酸入浴錠剤Ｔを挟む状態で導入口１４側及び吐出口１３側の両方に設けられ、両方の又は一方の通水制限板２３に設けられた凹部２３Ｃに炭酸入浴錠剤Ｔを嵌入させ、かつ通水制限板２３で炭酸入浴錠剤Ｔを挟持することで、炭酸入浴錠剤Ｔを縦収容方向に支持及び固定することができる。凹部２３Ｃは、導入口側通水制限板２３Ａ又は吐出口側通水制限板２３Ｂのいずれか一方に設けてもよいし、両方に設けてもよい。
【００７９】
　通水制限板２３に設けられた凹部２３Ｃは、図３又は図４に示される棒状体又は壁状体と共に錠剤支持部２２を構成してもよいし、単独で錠剤支持部２２を構成してもよい。
【００８０】
　マイクロバブル発生部２には、炭酸入浴錠剤Ｔの収容位置の上流側又は下流側、即ち湯水の導入口１４側又は吐出口１３側のいずれか一方又は両方に、炭酸入浴錠剤Ｔに接触する水量を減じるための通水制限板２３が設けられる。ここで、湯水の導入口側１４に設けられた通水制限板を導入口側通水制限板２３Ａといい、湯水の吐出口１３側に設けられた通水制限板を吐出口側通水制限板２３Ｂという。また、本考案において、単に通水制限板２３と記載した場合は、特に断りが無い限り、導入口側通水制限板２３Ａ又は吐出口側通水制限板２３Ｂの両方又はいずれか一方を指し示すこととする。
　通水制限板２３は、湯水が通過可能な隔壁構成であり、例えば、複数の通水孔が設けられた開孔板やメッシュ体の如き網状体によって形成することができる。
【００８１】
　通水制限板２３が、湯水の導入口１４側又は吐出口１３側のいずれか一方に設けられる場合は、導入口１４側のみに導入口側通水制限板２３Ａが設けられることが好ましい。この場合、通水路を流れる湯水は、導入口１４側から流れるので、導入口１４側からの水圧が強く、この水圧を導入口側通水制限板２３Ａによって制限することで、炭酸入浴錠剤Ｔの溶解速度を緩慢にさせ、該錠剤Ｔを長持ちさせる効果を得ることができる。
【００８２】
　また、通水制限板２３は、少なくとも湯水の導入口１４側又は吐出口１３側のいずれか一方又は両方に設けられる構成であればよく、これらに加えて、炭酸入浴錠剤Ｔを全周に亘って包囲するように通水制限板２３を設けることができ、更に、通水制限板２３を、炭酸入浴錠剤Ｔを包囲して収容可能な構成に形成し、錠剤収容部２１を兼ねる構成とすることもできる。かかる構成については、後述する実施例３において説明する。
【００８３】
　通水制限板２３は、炭酸入浴錠剤Ｔの移動を制限する役割も果たし、湯水の導入口１４側及び吐出口１３側の両方に通水制限板２３が設けられた構成によれば、これらの導入口側通水制限板２３Ａ及び吐出口側通水制限板２３Ｂに炭酸入浴錠剤Ｔが挟まれて収容される態様となり、該錠剤Ｔが水流によって流出することを防ぎ、炭酸入浴錠剤収容部２１に止まらせることができる。
【００８４】
　図１又は図２に示されるように、通水制限板２３が、湯水の導入口１４側及び吐出口１３側の両側に設けられる場合には、炭酸入浴錠剤Ｔを囲い込む構成を採用することができる。また、前記したように、通水制限板２３に凹部２３Ｃを設けることで、炭酸入浴錠剤Ｔを縦収容方向に支持・固定することができる。
【００８５】
　通水制限板２３は、通過可能な水量が異なるものを複数用意し、炭酸入浴錠剤Ｔの溶解速度を調整するため、これらを選択して取り替えることができる。即ち、炭酸入浴錠剤Ｔの溶解速度を早くしたい場合には、通過可能な水量が多い通水制限板２３を使用し、反対に、炭酸入浴錠剤Ｔの溶解速度を遅くしたい場合には、通過可能な水量が少ない通水孔を有する通水制限板２３を使用することができる。
【００８６】
　通水制限板２３を、複数の通水孔２３Ｄが設けられた開孔板によって形成する場合には、通水孔２３Ｄの大きさと数量を変えることによって、通過可能な水量を変更することができる。また、通水制限板２３を、メッシュ体の如き網状体によって形成する場合には、網の粗密を変えることによって、通過可能な水量を変更することができる。
【００８７】
　また、炭酸入浴錠剤Ｔの溶解速度を変える手段として、上記のように、通過可能な水量が異なる通水制限板２３に交換する手段の他、通過可能な水量を変化させることができる通水制限板２３を使用する手段を採用することもできる。例えば、通水孔２３Ｄの大きさと数量が異なる２枚の開孔板を重ね合わせて一の通水制限板２３を形成し、この２枚の開孔板の一方又は両方を回転させて、湯水が通過可能な通水孔２３Ｄの大きさや数量を調整することで開孔率を変更し、通水制限板２３を通過可能な水量を変化させる手段を挙げることができる。
【００８８】
　通水制限板２３は、炭酸ガスマイクロバブル発生部２から取り外して使用することが可能である。例えば、シャワーを短時間で浴びなければならない場合、通水制限板２３を取り外してシャワー吐出することで、炭酸入浴錠剤Ｔの溶解速度を速め、短時間で溶解するようにしてもよい。この場合、シャワー吐出される炭酸ガスマイクロバブル混合水の炭酸濃度が高く、短時間で十分な血行促進等の効果を得ることができる。
・・・
【００９６】
　
マイクロバブル発生部２の配設位置として、下記（１）〜（３）の構成を挙げることができる。
（１）シャワー銅部１２に配設される構成（例えば、図７に示される位置）
（２）シャワーヘッド部１１とシャワー胴部１２との間、又はシャワーヘッド部１１とシャワー胴部１２との結合部乃至は該結合部を跨いで配設される構成（例えば、図８に示される位置）
（３）
シャワー胴部１２とホース３との間
（４）シャワーヘッド部１１に配設される構成（例えば、後述する実施例３の構成であって、図１６に示される位置）
【００９７】
　上記（１）に示される構成の場合、図７に図示されるシャワー胴部１２の中央付近に配設される他、シャワーヘッド部１１側又はホース３側の端部付近に配設される構成としてもよい。また、図１に示されるように、シャワー胴部１２の導入口１４側の端部に設けられ、シャワー胴部１２とホース接続部１５に挟まれる態様に配設されてもよいし、シャワー胴部１２を任意の位置で長手方向に分割し、この分割された位置にマイクロバブル発生部２が挟まれる態様に配設されてもよいし、更に、シャワー胴部１２の内部に内蔵される構成であってもよい。
【００９８】
　上記（２）に示される構成の場合、図８に図示されるシャワーヘッド部１１とシャワー胴部１２の結合部乃至は該結合部を跨いで配設される構成の他、シャワーヘッド部１１とシャワー胴部１２との間にマイクロバブル発生部２が挟まれる態様で配設される構成としてもよい。
【００９９】
　上記（３）に示される構成の場合、シャワー胴部１２とホース３との間にマイクロバブル発生部２が挟まれる態様で配設され、ホース３の始端部がマイクロバブル発生部２に接続される構成の他、図９に示されるように、シャワー胴部１２とホース３との結合部（ホース接続部１５）乃至は該結合部（ホース接続部１５）を跨いで配設される構成としてもよい。
　上記（４）に示される構成の場合については、後述する実施例３において詳述する。
【０１００】
　マイクロバブル発生部２、特に錠剤収容部２１を透明合成樹脂材等の透明性を有する材料で形成することにより、該錠剤支持部２に収容される炭酸入浴錠剤Ｔが、シャワー機器１の外部から目視可能な構成とすることもできる。かかる構成によれば、マイクロバブル発生部２に収容された炭酸入浴錠剤Ｔの有無や溶解の程度を、シャワー機器１の外部から容易に把握することができる。
【０１０１】
　また、マイクロバブル発生部２が、シャワー胴部に内蔵される構成である場合には、シャワー胴部１２の少なくとも一部と、その内部の通水路を構成する部材の少なくとも一部を透明性を有する材料で形成することにより、シャワー機器１の外部から通水路内を流れる湯水を目視可能な構成とすることもできる。更にまた、マイクロバブル発生部２が、シャワーヘッド部１１に内蔵される構成である場合には、シャワーヘッド部１１の少なくとも一部と、その内部の通水路を構成する部材の少なくとも一部を透明性を有する材料で形成することにより、シャワー機器１の外部から通水路内を流れる湯水を目視可能な構成とすることもできる。かかる構成によれば、炭酸入浴錠剤Ｔが湯水に溶解しているか否かや有無、即ち、マイクロバブルが発生しているか否かをシャワー機器１の外部から容易に視認することができる。
【０１０２】
　図１又は図２に示される実施例では、錠剤収容部２１の導入口１４側端部に、接続部２４が設けられた構成である。この接続部２４を取り外すことで、導入口側通水制限板２３Ａを取り外し、炭酸入浴錠剤Ｔを出し入れすることができる構成である。図１又は図２に示される実施例では、この接続部２４が設けられることによって、マイクロバブル発生部２が開閉機構を有することになる。
【０１０３】
　接続部２４の他端には、ホース接続部１５が設けられ、ホース３と接続することができる。尚、ホース接続部１５を設けず、シャワー胴部１２とホース３とを直接接続する構成を採用してもよい。
　接続部２４の形態に限定はないが、錠剤収容部２とホース接続部１５のと接続は、強い水圧が加えられたとしても離脱することがないように、螺合又は嵌合によるものが好ましく、他にロック機構等を設けることもできる。
【０１０４】
　シャワー機器１を構成する各部材の結合箇所には、必要に応じてパッキング等の止水部材が設けられ、通水路から外部に湯水が漏れ出すことを防止することができる。特に、シャワー胴部１２と錠剤収容部２１との結合箇所、錠剤収容部２１と接続部２４との結合箇所、又は接続部２４とシャワー胴部１２又はホース接続部１５との結合箇所など、脱着が可能な結合箇所については、止水部材が設けられることが好ましい。
【０１０５】
　本考案に係るシャワー機器１は、シャワー胴部１２にマイクロバブル発生部２が設けられ、このマイクロバブル発生部２の錠剤収容部２１に、炭酸入浴錠剤Ｔが収容される構成であるが、この構成に変えて、例えば、シャワーヘッド部１１にマイクロバブル発生部２を設け、炭酸入浴錠剤Ｔを収容することもできる。シャワーヘッド部１１に炭酸入浴錠剤Ｔを収容したシャワー機器１については、後述する実施例３において詳述する。
【０１０６】
　本考案に用いる
炭酸入浴錠剤は、重炭酸塩と有機酸からなりポリエチレングリコールの存在下に圧縮成形され、直径が２０ｍｍ以上で、厚みが直径より薄肉であり、硬度が１５ｋｇｆ以上、水に溶解した場合のＰＨが５．５から８．５であること
【０１０７】
　本考案のこの効果は、重炭酸塩に対する、ポリエチレングリコール（ＰＥＧ）の量及び有機酸の量を規定し、それぞれを一定比率内の条件で混合し、圧縮成型をして錠剤を作る際、錠剤の直径を２０ｍｍ以上とし、厚みが直径より薄肉であり、硬度を１５ｋｇｆ以上の高い硬度に作成し、溶解後のＰＨを５．５から８．５にすることで、効果が最大に発揮される。
・・・
【０１１１】
　上記のように、錠剤は必ずしも平面を持つ円形でなくてもよく、一辺の長さが２０ｍｍ以上の固形物で、好ましくは硬度が１５ｋｇｆ以上であれば、楕円形でもタブレットでも球体でも、錠剤の範疇であれば形は何ら制限されない。
【０１１２】
　堅い固体中でミクロサイズの発泡をゆっくり起こし、液中への炭酸ガスの溶解がより効率的に行われれば、どのような形状でもよく、特に好ましい硬度は２５ｋｇｆ以上であり、硬度は高いほど錠剤中での炭酸ガスの発生により浴中への炭酸ガスが溶解しやすくなり、泡の径などが細かくなっていることが推定され、好ましい結果を生じる。
【０１１３】
　本考案における硬度は、岡田精工社製デジタル錠剤硬度計ニュー・スピード・チェッカーＴＳ７５Ｎを用いて測定した値を基準とする。原則として、これを４回測定し、その平均値を採用する。
・・・
【０１１６】
　特に、炭酸入浴錠剤に着色成分を含有する構成とした態様では、前述したタブレット収容部を透明性を有する材料で形成した構成や、シャワーヘッド部及び／又はシャワー胴部の少なくとも一部とその内部の通水路を構成する部材の少なくとも一部を透明性を有する材料で形成した構成と併用することにより、炭酸入浴錠剤の有無や溶解の程度を更に容易に把握することができる。
【０１１７】
＜実施例＞
・実施例１
　図１０に、本考案に係るシャワー機器１の具体的な実施例１の分解斜視図を示す。
　実施例１に係るシャワー機器１は、
炭酸入浴錠剤収容部２１、錠剤支持部２２、通水制限板２３Ａ・２３Ｂ、接続部２４から構成される炭酸ガスマイクロバブル発生部２
【０１１８】
　
錠剤収容部２１は、吐出口１３側の端部が、シャワーヘッド部１１と連結されたシャワー胴部１２の端部と結合される
　錠剤収容部２１は、透明性を有する材料によって形成されており、収容される炭酸入浴錠剤Ｔ等が外部から目視可能な構成である。
　
錠剤収容部２１の側周面の一部には、第１係合部２１Ａが設けられ、
接続部２４に設けられた第１被係合部と嵌合し、これを３６０度以内の回転を加えて捻ることで
【０１１９】
　
通水制限板２３は、錠剤収容部２１の導入口１４側には導入口側通水制限板２３Ａが配置され、吐出口１３側には吐出口側通水制限板２３Ｂが配置される。
【０１２０】
　図１０に示されるように、導入口側通水制限板２３Ａは、接続部２４に設けられ、マイクロバブル発生部２を構成する各部が組み立てられた状態において、錠剤収容部２１の導入口１４側の端部に配設される。
【０１２１】
　図１１に、導入口側通水制限板２３Ａをシャワーヘッド部１１側から観察した概略平面図を示す。導入口側通水制限板２３Ａは、平面視円形であって、その中央部に複数個からなる通水孔２３Ｄが設けられ、外形の周縁には、切り欠きによって外側通水孔２３Ｅが設けられる。通水孔２３Ｄ及び外側通水孔２３Ｅについては、後に詳述する。
【０１２２】
　吐出口側通水制限板２３Ｂは、錠剤収容部２１の吐出口１３側の端部に配設される。
　
図１２の左側に、吐出口側通水制限板２３Ｂをホース接続部１５側から観察した概略平面図を示す。
　吐出口側通水制限板２３Ｂは、上下辺が曲線の平面視矩形であって、複数個からなる通水孔２３Ｄが設けられる。また、図１２に示されるように、吐出口側通水制限板２３Ｂには、錠剤支持部２２と、係合部２３Ｆが設けられる。
【０１２３】
　
錠剤支持部２２は、対をなす２枚の壁状体であって、この一対の壁状体が通水方向Ｗに沿って相対向して形成される。
【０１２４】
　第２係合部２３Ｆは、錠剤収容部２１又はシャワー胴部１２に設けられた第２被係合部（図示しない）に係合され、吐出口側通水制限板２３Ｂが、錠剤収容部２１の吐出口１３側の端部に位置するよう固定するための部位である。
　第２係合部２３Ｆは、円筒状の小突起であり、この小突起に対応する径に形成された凹状又は開孔状の第２被係合部（図示しない）と係合される。尚、本考案において、第２係合部２３Ｆと第２被係合部の形態は上記構成に限定されず、係合手段として公知公用の技術を特別の制限なく採用することができる。
【０１２５】
　ここで、導入口側通水制限板２３Ａに設けられた通水孔２３Ｄ及び外側通水孔２３Ｅについての説明に戻る。
　通水孔２３Ｄは、前記した錠剤支持部２２を形成する一対の壁状体の内側を通過する湯水を通すための開孔である。詳述すれば、シャワーヘッド部１１側から通水方向Ｗと平行する方向に向かって観察した場合において、通水孔２３Ｄは、錠剤支持部２２を形成する一対の壁状体の内側の位置に設けられる。
【０１２６】
　外側通水孔２３Ｅは、前記した錠剤支持部２２を形成する一対の壁状体の外側を通過する湯水を通すための開孔である。これを詳述すれば、シャワーヘッド部１１側から通水方向と平行する方向に向かって観察した場合において、外側通水孔２３Ｅは、錠剤支持部２２を形成する一対の壁状体の外側の位置に設けられる。
【０１２７】
　上記のような構成を採ることによって、通水孔２３Ｄを通過した比較的少量の湯水が、一対の壁状体の内側に収容される錠剤Ｔに接し、他方、外側通水孔２３Ｅを通過した比較的多量の湯水は、一対の壁状体の外側を通過して錠剤Ｔには触れないので、錠剤Ｔに接する水量を制限しつつ、シャワー機器１全体を通過可能な水量を維持することができる。
【０１２８】
　接続部２４は、フランジ状の形状に形成され、錠剤収容部２１と導入口１４側のシャワー胴部１２とを接続するために設けられ、シャワー胴部１２とは、螺合によって接続される。
　
接続部２４
には
第１被係合部２４Ａが形成され
【０１２９】
　第１係合部２１Ａと第１被係合部２４Ａとの接続手段について、図１３に基づいて説明する。第１係合部２１Ａと第１被係合部２４Ａは、第１係合部２１Ａが、第１被係合部２４Ａにシャワー胴部１２の長手方向から進入し、突き当たった後、
周回方向に僅か（３６０度以内）に捻られることによって接続される。
反対の動作をすれば
接続を解除する
　尚、接続部２４の外周には、滑り止めとして複数の突条片が設けられる。」
　
（１ｂ）引用文献１には以下の図１〜５，１０〜１３が示されている。
イ　引用文献１に記載された発明及び技術的事項
　摘示（１ａ）の記載事項及び摘示（１ｂ）の図示内容から、シャワー機器に関して以下の事項が認定できる。
ａ　炭酸入浴錠剤収容部２１、錠剤支持部２２、通水制限板２３Ａ・２３Ｂ、接続部２４から構成される炭酸ガスマイクロバブル発生部２であること（段落【０１１７】、図１０）。
　
ｂ　錠剤収容部２１は、吐出口１３側の端部が、シャワーヘッド部１１と連結されたシャワー胴部１２の端部と結合されること（段落【０１１８】、図１０）。
　
ｃ　錠剤収容部２１の側周面の一部に、第１係合部２１Ａが設けられ、接続部２４に設けられた第１被係合部２４Ａと嵌合し、これを３６０度以内の回転を加えて捻ることで接続され、反対の動作をすれば接続が解除されること（段落【０１１８】，【０１２８】〜【０１２９】、図１３）。
ｄ　上記「ｃ」が、炭酸ガスマイクロバブル発生部が備える開閉機構（段落【００３１】）の構成であることは明らかである。
　そして、その開閉機構により炭酸マイクロバブル発生部の開閉機構の開閉操作が、シャワー胴部又はシャワーヘッド部からなる固定基準体を基準として３６０度以内の回転というワンタッチ操作で可能である（段落【００３２】）ことも明らかである。
ｅ　上記「ｃ」，「ｄ」をまとめると、
　炭酸ガスマイクロバブル発生部が備える開閉機構は、錠剤収容部２１の側周面の一部に、第１係合部２１Ａが設けられ、接続部２４の内周に形成されたＬ字状の溝による第１被係合部２４Ａと嵌合し、これを３６０度以内の回転を加えて捻ることで接続され、反対の動作をすれば接続が解除される構成であり、開閉機構により炭酸マイクロバブル発生部の開閉機構の開閉操作が、シャワー胴部又はシャワーヘッド部からなる固定基準体を基準として３６０度以内の回転というワンタッチ操作で可能であること。
ｆ　通水制限板２３は、錠剤収容部２１の導入口１４側には導入口側通水制限板２３Ａが配置され、吐出口１３側には吐出口側通水制限板２３Ｂが配置されることで（段落【００３０】，【０１１９】、図４，１０）、炭酸入浴錠剤に直接当たる水量を調整することができるため、最適な錠剤濃度の炭酸ガスマイクロバブル混合水をシャワー吐出することができ、これによりシャワー吐出量を維持しつつ、湯水と錠剤の接触水量のみを調整し、該錠剤の溶解速度を緩慢にさせることで、該錠剤の溶解時間を延ばすこと（段落【００１４】，【００３０】）。
ｇ　錠剤支持部２２は、炭酸入浴錠剤Ｔを縦収容方向に固定するため、錠剤収容部２１に設けられる（段落【００７５】）、対をなす２枚の壁状体であって、この一対の壁状体が通水方向Ｗに沿って相対向して形成され（段落【０１２３】、図４，１０）、この一対の壁状体の間に、炭酸入浴錠剤Ｔを配置することで、炭酸入浴錠剤Ｔを縦収容方向に支持及び固定することができること（段落【００７７】、図４，１０）。
ｈ　炭酸入浴錠剤は、重炭酸塩と有機酸からなりポリエチレングリコールの存在下に圧縮成形され、直径が２０ｍｍ以上で、厚みが直径より薄肉であり、硬度が１５ｋｇｆ以上、錠剤を湯水に溶かした直後のＰＨが５．５から８．５であること（段落【００２５】，【００５９】，【０１０６】）。
ｉ　厚みが直径より薄肉の炭酸入浴錠剤が、炭酸入浴錠剤の直径方向が通水方向と同方向に、該錠剤が炭酸入浴錠剤収容部に収容されることで、湯水が該錠剤に当たる面積を減少し、シャワー吐出される水量を減少させずに該錠剤の溶解時間を緩慢にさせることができること（段落【００３６】、図４，１０）。
ｊ　炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し、ＰＨが７．４５である中性の血管にそのまま効率よく吸収され、血行促進等の健康増進効果を手軽に得ることができること（段落【００６１】）。
ｋ　炭酸ガスマイクロバブル混合水によれば、水道水のカルキ臭を著しく抑制乃至は消滅させることが可能であること（段落【００６２】）。
　したがって、これらを整理すると、引用文献１には次の発明が記載されていると認められる。
＜引用発明＞
「炭酸入浴錠剤収容部２１、錠剤支持部２２、通水制限板２３Ａ・２３Ｂ、接続部２４から構成される炭酸ガスマイクロバブル発生部２であって、
　錠剤収容部２１は、吐出口１３側の端部が、シャワーヘッド部１１と連結されたシャワー胴部１２の端部と結合され、
　炭酸ガスマイクロバブル発生部が備える開閉機構は、錠剤収容部２１の側周面の一部に、第１係合部２１Ａが設けられ、接続部２４の内周に形成されたＬ字状の溝による第１被係合部２４Ａと嵌合し、これを３６０度以内の回転を加えて捻ることで接続され、反対の動作をすれば接続が解除される構成であり、開閉機構により炭酸マイクロバブル発生部の開閉機構の開閉操作が、シャワー胴部又はシャワーヘッド部からなる固定基準体を基準として３６０度以内の回転というワンタッチ操作で可能であり、
　通水制限板２３は、錠剤収容部２１の導入口１４側には導入口側通水制限板２３Ａが配置され、吐出口１３側には吐出口側通水制限板２３Ｂが配置されることで、炭酸入浴錠剤に直接当たる水量を調整することができるため、最適な錠剤濃度の炭酸ガスマイクロバブル混合水をシャワー吐出することができ、これによりシャワー吐出量を維持しつつ、湯水と錠剤の接触水量のみを調整し、該錠剤の溶解速度を緩慢にさせることで、該錠剤の溶解時間を延ばし、
　錠剤支持部２２は、炭酸入浴錠剤Ｔを縦収容方向に固定するため、錠剤収容部２１に設けられる、対をなす２枚の壁状体であって、この一対の壁状体が通水方向Ｗに沿って相対向して形成され、この一対の壁状体の間に、炭酸入浴錠剤Ｔを配置することで、炭酸入浴錠剤Ｔを縦収容方向に支持及び固定することができ、
　炭酸入浴錠剤は、重炭酸塩と有機酸からなりポリエチレングリコールの存在下に圧縮成形され、直径が２０ｍｍ以上で、厚みが直径より薄肉であり、硬度が１５ｋｇｆ以上、錠剤を湯水に溶かした直後のＰＨが５．５から８．５であり、
　厚みが直径より薄肉の炭酸入浴錠剤が、炭酸入浴錠剤の直径方向が通水方向と同方向に、該錠剤が炭酸入浴錠剤収容部に収容されることで、湯水が該錠剤に当たる面積を減少し、シャワー吐出される水量を減少させずに該錠剤の溶解時間を緩慢にさせることができ、
　炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し、ＰＨが７．４５である中性の血管にそのまま効率よく吸収され、血行促進等の健康増進効果を手軽に得ることができ、
　炭酸ガスマイクロバブル混合水によれば、水道水のカルキ臭を著しく抑制乃至は消滅させることが可能である、
　炭酸ガスマイクロバブル発生部２。」
　また摘記事項（１ａ）から以下の技術的事項が認定できる。
＜技術的事項Ａ＞
「錠剤収容部２１は、１つの炭酸入浴錠剤Ｔを収容する構成であるが、２以上の炭酸入浴錠剤Ｔを収容可能な構成を採用してもよく、この場合、２以上の炭酸入浴錠剤Ｔは、直列に収容されてもよいし、並列に収容されてもよい。」（段落【００７４】）
（４−２）対比
　本願補正発明と引用発明とを対比する。 
ア　引用発明の「湯水」、「炭酸ガスマイクロバブル混合水」、「開閉機構」、「通水制限板２３」、「錠剤支持部２２」は、その意味、機能または構造からみて、本願補正発明の「湯水」、「炭酸ガスマイクロバブル混合水」、「開閉機構」、「通水制限板」、「錠剤支持部」にそれぞれ相当する。
　また引用発明の「炭酸入浴錠剤」及び「炭酸入浴錠剤Ｔ」は、本願補正発明の「炭酸入浴錠剤」に相当し、引用発明の「錠剤」は、本願補正発明の「錠剤」に相当する。
　さらに引用発明の「炭酸入浴錠剤収容部２１」及び「錠剤収容部２１」のそれぞれは、「炭酸入浴錠剤」を収容するためのものなので、本願補正発明の「炭酸入浴錠剤を収容するための錠剤収容部」に相当する。
イ　引用発明の「炭酸ガスマイクロバブル発生部２」は「開閉機構」を「備える」ものである。
　また引用発明の「炭酸ガスマイクロバブル発生部２」は「炭酸入浴錠剤収容部２１、錠剤支持部２２、通水制限板２３Ａ・２３Ｂ、接続部２４から構成され」、特に「錠剤収容部２１は、吐出口１３側の端部が、シャワーヘッド部１１と連結されたシャワー胴部１２の端部と結合され」、「通水制限板２３は、錠剤収容部２１の導入口１４側には導入口側通水制限板２３Ａが配置され、吐出口１３側には吐出口側通水制限板２３Ｂが配置されることで、炭酸入浴錠剤に直接当たる水量を調整することができるため、最適な錠剤濃度の炭酸ガスマイクロバブル混合水をシャワー吐出することができ」ることを踏まえると、「炭酸ガスマイクロバブル発生部２」は「炭酸入浴錠剤収容部２１」を備え、湯水の送水経路に設けられ、炭酸ガスマイクロバブル混合水のシャワー吐出を可能とするものであることは明らかである。
　してみると、かかる「炭酸ガスマイクロバブル発生部２」は、上記「ア」をも踏まえると、本願補正発明の「開閉機構を有し、炭酸入浴錠剤を収容するための炭酸入浴錠剤収容部が設けられた構成であり」、「湯水の送水経路に設けられ、炭酸ガスマイクロバブル混合水を吐出する炭酸ガスマイクロバブル発生器」に相当するものといえる。
ウ　引用発明における「シャワーヘッド部１１」及び「シャワー胴部１２」からなるものは、本願補正発明の「シャワー機器」に相当する。
　そして、引用発明において「炭酸ガスマイクロバブル発生部２」を構成する「錠剤収容部２１」は、「吐出口１３側の端部が、シャワーヘッド部１１と連結されたシャワー胴部１２の端部と結合され」ることから、シャワーヘッド部１１と、シャワー胴部１２と、錠剤収容部２１を構成に含む炭酸ガスマイクロバブル発生部２とは、この順で接続され、この後にホースが接続されるのは技術的に明らかであることを踏まえると、かかる「炭酸ガスマイクロバブル発生部２」は、本願補正発明の「シャワー機器とホースとの間に配設され」る「炭酸ガスマイクロバブル発生器」に相当するものといえる。
エ　引用発明の「炭酸ガスマイクロバブル発生部が備える開閉機構は、錠剤収容部２１の側周面の一部に、第１係合部２１Ａが設けられ、接続部２４の内周に形成されたＬ字状の溝による第１被係合部２４Ａと嵌合し、これを３６０度以内の回転を加えて捻ることで接続され、反対の動作をすれば接続が解除される構成であり、開閉機構により炭酸マイクロバブル発生部の開閉機構の開閉操作が、シャワー胴部又はシャワーヘッド部からなる固定基準体を基準として３６０度以内の回転というワンタッチ操作で可能であり」という構成は、上記「ア」〜「ウ」をも踏まえると、本願補正発明の「開閉機構を有し、炭酸入浴錠剤を収容するための錠剤収容部が設けられた構成であり、前記開閉機構が、シャワー機器からなる固定基準体を基準として、３６０度以内の回動によって開閉可能な構成であり」という構成に相当する。
オ　引用発明における「通水制限板２３は、錠剤収容部２１の導入口１４側には導入口側通水制限板２３Ａが配置され、吐出口１３側には吐出口側通水制限板２３Ｂが配置され」という構成は、上記「ア」をも踏まえると、本願補正発明における「少なくとも湯水の導入口側又は吐出口側のいずれか一方又は両方に、炭酸入浴錠剤に直接当たる水量を調整するための通水制限板が設けられた構成である」という構成に相当する。
カ　引用発明の「錠剤支持部２２は、炭酸入浴錠剤Ｔを縦収容方向に固定するため、錠剤収容部２１に設けられる、対をなす２枚の壁状体であって、この一対の壁状体が通水方向Ｗに沿って相対向して形成され、この一対の壁状体の間に、炭酸入浴錠剤Ｔを配置することで、炭酸入浴錠剤Ｔを縦収容方向に支持及び固定することができ」という構成は、上記「ア」をも踏まえると、本願補正発明における「前記錠剤収容部には、炭酸入浴錠剤を縦収容方向に固定するため、錠剤支持部が設けられ」という構成に相当する。
キ　引用発明の「炭酸入浴錠剤は、重炭酸塩と有機酸からなりポリエチレングリコールの存在下に圧縮成形され、直径が２０ｍｍ以上で、厚みが直径より薄肉であり、硬度が１５ｋｇｆ以上、錠剤を湯水に溶かした直後のＰＨが５．５から８．５であり」という構成は、上記「ア」をも踏まえると、本願補正発明における「収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であって」という構成に相当する。
ク　引用発明における「厚みが直径より薄肉の炭酸入浴錠剤が、炭酸入浴錠剤の直径方向が通水方向と同方向に、該錠剤が炭酸入浴錠剤収容部に収容されることで、湯水が該錠剤に当たる面積を減少し、シャワー吐出される水量を減少させずに該錠剤の溶解時間を緩慢にさせることができ」、「通水制限板２３は・・・これによりシャワー吐出量を維持しつつ、湯水と錠剤の接触水量のみを調整し、該錠剤の溶解速度を緩慢にさせることで、該錠剤の溶解時間を延ばし」という構成は、上記「ア」〜「ウ」，「オ」〜「カ」をも踏まえると、本願補正発明の「前記錠剤収容部への炭酸入浴錠剤の収容方向が、炭酸入浴錠剤の直径方向が炭酸ガスマイクロバブル発生器内の通水方向と同方向となる構成であって、吐出量を維持しつつ湯水と錠剤の接触水量のみを調整し、該錠剤の溶解速度を緩慢にさせ、該錠剤の溶解時間を延ばす構成である」という構成に相当する。
ケ　本願補正発明の「湯水のカルキが除去された後、シャワー吐出されるまでの時間を得ることができるため、経皮毒を減少させる構成である」という構成について、本願明細書の段落【００２５】の「炭酸ガスマイクロバブル発生器を、シャワー機器とホースとの間に配設することによって、炭酸ガスマイクロバブル発生器に収容された炭酸入浴錠剤が湯水によって溶解され、これにより発生した炭酸ガスは、接続されたシャワー機器内で湯水に曝される時間が得られるので、適度な中和時間を得ることができ、重炭酸イオンへ変化するための時間も得ることができ、重炭酸イオンによる血行促進等の健康増進効果を得ることができる。また、シャワー機器を通過する時間を要することによって、重炭酸イオンによって湯水のカルキが除去された後、シャワー吐出されるまでの時間を得ることができるため、経皮毒を減少させることにより、健康増進効果をより一層得ることができる。」という記載、及び審判請求書における「３−２．補正の適法性について」の項において「「湯水のカルキが除去された後、シャワー吐出されるまでの時間を得ることができるため、経皮毒を減少させる構成」についても、本発明の構成によって得られる作用効果を説明した内容であります。」と述べられていることから、本願補正発明の該構成は、本願補正発明の作用効果であって特に炭酸ガスマイクロバブル発生器を、シャワー機器とホースとの間に配設することによってシャワー機器を通過する時間を要することで得られる重炭酸イオンに基づく作用効果と理解される。
　してみると、引用発明における、作用効果に関する「炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し」、「炭酸ガスマイクロバブル混合水によれば、水道水のカルキ臭を著しく抑制乃至は消滅させることが可能である」という構成は、上記「ウ」をも踏まえると、実質的に本願補正発明の「湯水のカルキが除去された後、シャワー吐出されるまでの時間を得ることができるため、経皮毒を減少させる構成である」という構成に相当するものといえる。
　以上のことから、本願補正発明と引用発明との一致点及び相違点は、次のとおりである。 
　
＜一致点１＞ 
「湯水の送水経路に設けられ、炭酸ガスマイクロバブル混合水を吐出する炭酸ガスマイクロバブル発生器であって、
　シャワー機器とホースとの間に配設され、
　開閉機構を有し、炭酸入浴錠剤を収容するための錠剤収容部が設けられた構成であり、
　前記開閉機構が、シャワー機器からなる固定基準体を基準として、３６０度以内の回動によって開閉可能な構成であり、
　少なくとも湯水の導入口側又は吐出口側のいずれか一方又は両方に、炭酸入浴錠剤に直接当たる水量を調整するための通水制限板が設けられた構成である炭酸ガスマイクロバブル発生器において、
　前記錠剤収容部には、炭酸入浴錠剤を縦収容方向に固定するため、錠剤支持部が設けられ、
　収容される炭酸入浴錠剤が、重炭酸塩、有機酸及びポリエチレングリコールの存在下で圧縮成形されて得られた錠剤硬度が１５ｋｇｆ以上又は１５ＨＶ以上であり、かつ、錠剤を湯水に溶かした直後のＰＨが５．５から８．５の範囲となり、錠剤の直径が１５ｍｍ以上であって、
　前記錠剤収容部への炭酸入浴錠剤の収容方向が、炭酸入浴錠剤の直径方向が炭酸ガスマイクロバブル発生器内の通水方向と同方向となる構成であって、吐出量を維持しつつ湯水と錠剤の接触水量のみを調整し、該錠剤の溶解速度を緩慢にさせ、該錠剤の溶解時間を延ばす構成であると共に、
　湯水のカルキが除去された後、シャワー吐出されるまでの時間を得ることができるため、経皮毒を減少させる構成である、
炭酸ガスマイクロバブル発生器。」
　
＜相違点１＞
　本願補正発明は「更に、前記錠剤収容部に収容可能なホルダを別途設け、該ホルダに複数の錠剤を収容し、該ホルダを錠剤収容部に収容する構成であり」という構成を有するのに対し、引用発明はそのような構成を有さない点。
（４−３）判断
　上記「（３）」で述べたように、本願補正発明における「ホルダ」が「錠剤支持部」や「通水制限板」によって構成されるのか否か不明確であることから、以下では「ホルダ」が「錠剤支持部」や「通水制限板」によって構成される場合（以下「場合Ｘ」という。）と、「ホルダ」が「錠剤支持部」や「通水制限板」と別物である場合（以下「場合Ｙ」という。）について検討する。
ア　場合Ｘについて
　引用文献１には、「錠剤収容部２１は、１つの炭酸入浴錠剤Ｔを収容する構成であるが、２以上の炭酸入浴錠剤Ｔを収容可能な構成を採用してもよく、この場合、２以上の炭酸入浴錠剤Ｔは、直列に収容されてもよいし、並列に収容されてもよい。」という技術的事項Ａも記載されている（上記「（４−１）イ」）。
　してみると、引用発明において技術的事項Ａを適用し、錠剤収容部２１に２以上の炭酸入浴錠剤を収容可能にすることは、当業者が適宜なし得たことである。その際、錠剤支持部２２における一対の壁状体の間かつ導入口側通水制限板２３Ａと吐出口側通水制限板２３Ｂの間に複数の炭酸入浴錠剤を収容して支持及び固定するように設計変更することで、相違点１に係る本願補正発明の構成に想到することに格別な困難性は認められない。
　そして本願補正発明の効果について検討しても、引用発明及び技術的事項Ａの効果の総和から予想し得ない格別なものとは認められない。
イ　場合Ｙについて
　引用文献１において技術的事項Ａを勘案し、錠剤収容部２１に２以上の炭酸入浴錠剤を収容可能にすることは、当業者が容易になし得たことである。その際、水に溶解する錠剤を用いる技術分野において、複数の錠剤を収容するホルダを用いることは例えば本願の原出願日前に頒布された特開２００３−３３４１５号公報（特に図２〜３における錠剤収容部に相当するカバー３内に設けられた、複数の錠剤状の減菌剤４を収容するホルダとしての薬剤収納器２参照）に開示されているように周知技術といえることから、周知技術を勘案して別途ホルダを設けて相違点１に係る本願補正発明の構成に想到することに格別な困難性は認められない。
　そして本願補正発明の効果について検討しても、引用発明、技術的事項Ａ及び周知技術の効果の総和から予想し得ない格別なものとは認められない。
ウ　請求人の主張について
　請求人は審判請求書の「４−２」の項で、「以上をまとめますと、本発明は、引用文献１には言及がない、複数の錠剤を収容する『ホルダ』という独自の発明特定事項を有し、この『ホルダ」による作用効果によって、『湯水吐出量維持と錠剤の接触水量との調整で、錠剤の溶解速度緩慢による錠剤溶解時間の延長に関する構成』を有し、更に、『湯水のカルキが除去された後、シャワー吐出されるまでの時間を得ることができるため、経皮毒を減少させる構成』をも有する構成なのです。この点に関し、引用文献１には言及がないばかりか示唆さえもなく、この構成を有する本発明を、容易に想到可能とする根拠は見当たらないものと確認します。」と主張している。
　しかしながら、該「湯水吐出量維持と錠剤の接触水量との調整で、錠剤の溶解速度緩慢による錠剤溶解時間の延長」や該「湯水のカルキが除去された後、シャワー吐出されるまでの時間を得ることができるため、経皮毒を減少させる」という作用効果について、上記一致点１から明らかなように、引用発明は該作用効果を有するのであって、上記「２−２（２）ア，カ」で述べたことから明らかなように該作用効果がホルダによるものとは認められない。そして「ホルダ」の構成については上記「ア」，「イ」で述べたとおり、引用発明及び技術的事項Ａ又は引用発明、技術的事項Ａ及び周知技術に基いて想到することに格別な困難性は認められない。
　以上より、請求人の主張には理由がない。
（４−４）小括
　したがって、本願補正発明は、引用文献１に記載された引用発明及び技術的事項Ａ又は引用文献１に記載された引用発明及び技術的事項Ａ並びに周知技術に基いて、当業者が容易に発明をすることができたものであり、特許法第２９条第２項の規定により、特許出願の際独立して特許を受けることができないものである。
２−４　本件補正についてのむすび
　以上のとおり、本件補正は、上記「２−１」で述べたように、特許法第１７条の２第５項の規定を満たさないことから、同法第１５９条第１項で読み替えて準用する同法第５３条第１項の規定により却下すべきものである。
　仮に、本件補正が同法第１７条の２第５項の規定の規定を満たすものとしてみても、本件補正は、上記「２−２」で述べたように、特許法第１７条の２第３項の規定を満たさないことから、同法第１５９条第１項で読み替えて準用する同法第５３条第１項の規定により却下すべきものである。
　さらに仮に、本件補正が同法第１７条の２第３項及び同条第５項の規定の規定を満たすものとしてみても、上記「２−３」で述べたように、同法第１７条の２第６項において準用する同法第１２６条第７項の規定（独立特許要件）を満たさないものであるから、同法第１５９条第１項の規定において読み替えて準用する同法第５３条第１項の規定により却下すべきものである。
　よって、上記補正の却下の決定の結論のとおり決定する。
第３　本願発明について　
１　本願発明
　平成３０年１１月２８日にされた手続補正は、上記のとおり却下されたので、本件の請求項に係る発明は、平成３０年３月１日にされた手続補正により補正された特許請求の範囲の請求項１〜２に記載された事項により特定されるものであるところ、その請求項１に係る発明（以下「本願発明」という。）は、その請求項１に記載された事項により特定される、上記「第２［理由］１（２）」に記載のとおりのものである。
　なお、平成３０年５月２８日にされた手続補正については、同年８月２４日付けで却下されている。
２　原査定の拒絶の理由
理由１（新規性）：本願の請求項１に係る発明は、その出願前に日本国内又は外国において、頒布された引用文献１に記載された発明であるから、特許法第２９条第１項第３号に該当し、特許を受けることができない。
理由２（進歩性）：本願の請求項１〜２に係る発明は、その出願前に日本国内又は外国において、頒布された引用文献１に記載された発明に基いて、その出願前にその発明の属する技術の分野における通常の知識を有する者が容易に発明をすることができたものであるから、特許法第２９条第２項の規定により特許を受けることができない。
　引用文献１：登録実用新案第３１８７３６８号公報
３　引用文献１の記載事項等
　原査定の拒絶の理由で引用された引用文献１の記載事項並びに引用発明及び技術的事項Ａは、上記「第２［理由］２　２−２（４）（４−１）」に記載したとおりである。
　
４　対比
　本願発明と引用発明とを対比する。
　上記「第２　２−３（４）（４−２）」の「ア」〜「オ」，「ク」に加えて、引用発明の「炭酸入浴錠剤は、・・・厚みが直径より薄肉であり」という構成は、上記「第２［理由］２　２−２（４）（４−２）」の「ア」を踏まえると、本願発明の「炭酸入浴錠剤の厚みが、その直径よりも薄肉であって」という構成に相当するので、両者の間の一致点及び相違点は、次のとおりである。
　
＜一致点２＞ 
「湯水の送水経路に設けられ、炭酸ガスマイクロバブル混合水を吐出する炭酸ガスマイクロバブル発生器であって、
　シャワー機器とホースとの間に配設され、
　開閉機構を有し、炭酸入浴錠剤を収容するための炭酸入浴錠剤収容部が設けられた構成であり、
　前記開閉機構が、シャワー機器からなる固定基準体を基準として、３６０度以内の回動によって開閉可能な構成であり、
　少なくとも湯水の導入口側又は吐出口側のいずれか一方又は両方に、炭酸入浴錠剤に直接当たる水量を調整するための通水制限板が設けられた構成である炭酸ガスマイクロバブル発生器において、
　炭酸入浴錠剤の厚みが、その直径よりも薄肉であって、
　炭酸入浴錠剤収容部への炭酸入浴錠剤の収容方向が、炭酸入浴錠剤の直径方向が炭酸ガスマイクロバブル発生器内の通水方向と同方向となる構成であって、吐出量を維持しつつ湯水と錠剤の接触水量のみを調整し、該錠剤の溶解速度を緩慢にさせ、該錠剤の溶解時間を延ばす構成であることを特徴とする炭酸ガスマイクロバブル発生器。」 
＜相違点２＞
　本願補正発明は「前記炭酸入浴剤収容部に収容可能なホルダを有し、該ホルダに複数の錠剤を収容して錠剤収容部に収容する構成であり」という構成を有するのに対し、引用発明はそのような構成を有さない点。
５　判断
　引用文献１には、「錠剤収容部２１は、１つの炭酸入浴錠剤Ｔを収容する構成であるが、２以上の炭酸入浴錠剤Ｔを収容可能な構成を採用してもよく、この場合、２以上の炭酸入浴錠剤Ｔは、直列に収容されてもよいし、並列に収容されてもよい。」という技術的事項Ａも記載されている（上記「第２［理由］２　２−２（４）（４−１）イ」）。
　してみると、引用発明において技術的事項Ａを適用し、錠剤収容部２１に２以上の炭酸入浴錠剤を収容可能にすることは、当業者が適宜なし得たことである。その際、錠剤支持部２２における一対の壁状体の間かつ導入口側通水制限板２３Ａと吐出口側通水制限板２３Ｂの間に複数の炭酸入浴錠剤を収容して支持及び固定するように設計変更し、錠剤支持部２２並びに導入口側通水制限板２３Ａ及び吐出口側通水制限板２３Ｂの全体をホルダとして機能させることで、相違点２に係る本願発明の構成に想到することに格別な困難性は認められない。
　そして本願発明の効果を検討しても、引用発明及び技術的事項Ａの効果の総和から予想し得ない格別なものとは認められない。
　したがって、本願発明は、引用文献１に記載された引用発明及び技術的事項Ａに基づいて、当業者が容易に発明をすることができたものであり、特許法第２９条第２項の規定により、特許を受けることができないものである。
　
第４　むすび 
　以上のとおり、本願発明は、特許法第２９条第２項の規定により特許を受けることができないから、他の請求項に係る発明について検討するまでもなく、本願は拒絶されるべきものである。
　よって、結論のとおり審決する。